(57)【要約】  利用者が目視できない箇所を簡易な操作で確認することができるカメラ付き携帯電話端末。この携帯電話端末１では、操作検知手段２は、利用者の操作子に対する行為により画像データ表示の操作を検知する。撮像手段３は、操作検知手段２が操作の開始を検知した場合、被写体を撮像して画像データを生成する。表示手段４は、操作検知手段２が操作の開始を検知してから操作の終了を検知するまで撮像手段３が生成した画像データの表示を保持し、操作検知手段２が操作の終了を検知した場合、画像データの表示を終了する。
2007072583.tif 000002
【特許請求の範囲】
【請求項１】
利用者の操作子に対する行為により画像データ表示の操作を検知する操作検知手段と、
被写体を撮像して画像データを生成する撮像手段と、
前記操作検知手段が前記操作の開始を検知してから前記操作の終了を検知するまで前記撮像手段が生成した前記画像データの表示を保持し、前記操作検知手段が前記操作の終了を検知した場合、前記画像データの表示を終了する表示手段と、を具備する撮像画像表示装置。
【請求項２】
前記操作子はボタンであり、利用者の前記ボタンを押下する行為により前記操作の開始を検知し、利用者の前記押下したボタンを離反する行為により前記操作の終了を検知する請求項１記載の撮像画像表示装置。
【請求項３】
前記表示手段は、前記画像データを所定の方向へ回転した状態で表示する請求項１記載の撮像画像表示装置。
【請求項４】
前記操作検知手段は、複数の操作子を含み、
前記表示手段は、前記操作子毎に対応づけられた所定の方向へ前記画像データを回転した状態で表示する請求項１記載の撮像画像表示装置。
【請求項５】
前記画像データを保存する画像保存手段と、
前記操作検知手段の検知に基づいて撮像が成されていることを周囲に通知する撮像通知手段と、をさらに具備し、
前記撮像通知手段は、前記画像保存手段が前記画像データを保存する場合と、前記画像保存手段が前記画像データを保存しない場合とで、前記通知の動作が異なる請求項１記載の撮像画像表示装置。
【請求項６】
前記画像保存手段は、前記画像データを保存するか否かを切り替える保存切替手段を具備し、
前記撮像通知手段は、前記保存切替手段が前記画像データを保存するように切り替えられている場合、前記通知を行い、前記保存切替手段が前記画像データを保存しないよう切り替えられている場合、前記通知を行わない請求項５記載の撮像画像表示装置。
【請求項７】
利用者の操作子に対する行為により画像データ表示の操作を検知する第１のステップと、
被写体を撮像して画像データを生成する第２のステップと、
前記操作の開始を検知した場合、前記生成した画像データの表示を保持する第３のステップと、
前記操作の終了を検知する第４のステップと、
前記操作の終了を検知した場合、前記画像データの表示を終了する第５のステップと、を有する撮像画像表示方法。
【請求項８】
前記第２のステップは、前記画像データの表示を所定の方向へ回転した状態で表示する請求項７記載の撮像画像表示方法。
【請求項９】
前記第２のステップは、操作子毎に対応づけられた所定の方向へ前記画像データを回転した状態で表示する請求項７記載の撮像画像表示方法。
【発明の詳細な説明】
【技術分野】
【０００１】
本発明は、被写体像を撮像して表示する装置に関し、特に撮影機能を有する携帯型電子機器に利用可能な撮像画像表示装置に関する。
【背景技術】
【０００２】
近年、携帯電話端末は高機能化し、通話機能や通信機能に加えて撮影機能を有する携帯電話端末が既に一般に普及している。撮影機能を有する携帯電話端末の多くは、撮像素子とディスプレイを備えており、撮像している画像をディスプレイに表示するよう構成されている。この構成により、利用者は携帯電話端末のディスプレイの表示を確認しながら被写体の撮影、および撮影した画像データの保存や消去を行うことができる。【０００３】
撮影機能を有する携帯電話端末の中には、利用者の周辺に存在する被写体だけでなく、利用者自身の姿を撮像してディスプレイに表示するよう構成されているものも提案されている。この発明によれば、利用者が利用者自身を撮影する際に顔等の状態を確認することができる。また、この発明によれば、被写体を撮影し保存する用途だけでなく、利用者自身の姿を映す「手鏡」の代用品として携帯電話端末を利用することもできる（例えば特許文献１参照）。
【特許文献１】特開２００３−１６９１１６号公報（第９ページ、図１）
【発明の開示】
【発明が解決しようとする課題】
【０００４】
しかしながら、上記従来の携帯電話端末にあっては、利用者の前面の状態を確認することができるものの、後頭部等、利用者の後面の状態を確認することができないという問題があった。【０００５】
また、上記従来の携帯電話端末で利用者の後部を撮影しておき、撮影した画像をディスプレイに表示させて確認する方法もあるが、利用者は画像を確認した後、ディスプレイの表示を終了させるために消去ボタン押下やメニュー選択等の消去操作を行わなくてはならず、操作が煩雑であるという問題があった。【０００６】
本発明の目的は、上記従来の課題を解決するものであり、利用者が目視できない箇所を簡易な操作で確認することができる撮像画像表示装置を提供することを目的とする。
【課題を解決するための手段】
【０００７】
本発明の撮像画像表示装置は、利用者の操作子に対する行為により画像データ表示の操作を検知する操作検知手段と、被写体を撮像して画像データを生成する撮像手段と、前記操作検知手段が前記操作の開始を検知してから前記操作の終了を検知するまで前記撮像手段が生成した前記画像データの表示を保持し、前記操作検知手段が前記操作の終了を検知した場合、前記画像データの表示を終了する表示手段と、を具備する構成を採る。【０００８】
本発明の撮像画像表示方法は、利用者の操作子に対する行為により画像データ表示の操作を検知する第１のステップと、被写体を撮像して画像データを生成する第２のステップと、前記操作の開始を検知した場合、前記生成した画像データの表示を保持する第３のステップと、前記操作の終了を検知する第４のステップと、前記操作の終了を検知した場合、前記画像データの表示を終了する第５のステップと、を有する方法を採る。
【発明の効果】
【０００９】
本発明によれば、操作検知手段が操作の開始を検知したことに基づいて表示している撮像した画像データを、操作の終了を検知したことに基づいて消去することにより、利用者が目視できない箇所を簡易な操作で確認することができる。
【図面の簡単な説明】
【００１０】
【図１】本発明の実施の形態１における撮像画像表示装置の概略構成図
【図２】本発明の実施の形態１におけるデジタルカメラの構成図
【図３Ａ】本発明の実施の形態１におけるデジタルカメラの第１の外観図
【図３Ｂ】本発明の実施の形態１におけるデジタルカメラの第２の外観図
【図４】本発明の実施の形態１におけるデジタルカメラの表示制御部の処理手順を示すフローチャート
【図５】本発明の実施の形態１におけるデジタルカメラの動作を説明する図
【図６】本発明の実施の形態１におけるデジタルカメラの動作を説明する図
【図７】本発明の実施の形態１におけるデジタルカメラの動作を説明する図
【図８】本発明の実施の形態１におけるデジタルカメラの動作を説明する図
【図９】本発明の実施の形態１におけるデジタルカメラの動作を説明する図
【図１０】本発明の実施の形態２における撮像画像表示装置の概略構成図
【図１１】本発明の実施の形態２における携帯電話端末の構成図
【図１２】本発明の実施の形態２における携帯電話端末の第１の外観図
【図１３】本発明の実施の形態２における携帯電話端末の第２の外観図
【図１４】本発明の実施の形態２における携帯電話端末の表示制御部の処理手順を示すフローチャート
【図１５】本発明の実施の形態２における携帯電話端末の保存制御部の処理手順を示すフローチャート
【図１６】本発明の実施の形態２における携帯電話端末の動作を説明する図
【図１７】本発明の実施の形態２における携帯電話端末の動作を説明する図
【図１８】本発明の実施の形態２における携帯電話端末の動作を説明する図
【図１９】本発明の実施の形態２における携帯電話端末の動作を説明する図
【図２０】本発明の実施の形態２における携帯電話端末の動作を説明する図
【図２１】本発明の実施の形態２における携帯電話端末の動作を説明する図
【図２２】本発明の実施の形態２における携帯電話端末の動作を説明する図
【図２３】本発明の実施の形態２における携帯電話端末の動作を説明する図
【図２４】本発明の実施の形態２における携帯電話端末の動作を説明する図
【図２５】本発明の実施の形態２における携帯電話端末の動作を説明する図
【発明を実施するための最良の形態】
【００１１】
以下、本発明を実施するための最良の形態について、図面を参照しながら説明する。なお、実施の形態を説明するための全図において、同一の構成要素には同一符号を付与し、重複する説明は省略する。【００１２】
（実施の形態１）
図１は、本発明の実施の形態１における撮像画像表示装置１の概略構成図である。図１において、撮像画像表示装置１は操作検知手段２、撮像手段３、表示手段４を備える。【００１３】
操作検知手段２は、操作を検知して操作検知信号２０１を出力する。撮像手段３は、被写体を撮像して画像データ３０１を出力する。表示手段４は、操作検知信号２０１に基づいて画像データ３０１を表示する。【００１４】
図２は、本発明の実施の形態１における撮像画像表示装置１をデジタルカメラ１００に適用したときの構成図である。【００１５】
図２においてデジタルカメラ１００は、図１で説明した構成要素である操作検知手段２として撮像ボタン２０を、撮像手段３として電荷結合素子を用いたイメージセンサ（Ｃｈａｒｇｅ  Ｃｏｕｐｌｅｄ  Ｄｅｖｉｃｅ  Ｉｍａｇｅ  Ｓｅｎｓｏｒ、以下「ＣＣＤセンサ」と略す）３１を、表示手段４として表示制御部４９および液晶表示手段（Ｌｉｑｕｉｄ  Ｃｒｙｓｔａｌ  Ｄｉｓｐｌａｙ、以下「ＬＣＤ」と略す）４１を備える。【００１６】
撮像ボタン２０は、押下操作の開始を検知して「押下」を、押下操作の終了を検知して「離反」を操作検知信号２０１として出力する。表示制御部４９は、操作検知信号２０１に基づいて画像データ３０１を表示するための信号である画像信号４０１を出力する。ＬＣＤ４１は、画像信号４０１を視認可能に表示する。【００１７】
図３Ａ、図３Ｂは、本発明の実施の形態１におけるデジタルカメラ１００の外観を示す図である。図３Ａに示すとおり、ＣＣＤセンサ３１がデジタルカメラ１００の筐体の正面に設けられている。また、撮像ボタン２０が筐体の側面に設けられている。図３Ｂは、図３Ａに示すデジタルカメラ１００を裏側から見た外観を示す。図３Ｂに示すとおり、ＬＣＤ４１がＣＣＤセンサ３１の裏側に設けられている。撮像ボタン２０をデジタルカメラ１００の側面に備えることにより、利用者がデジタルカメラ１００を後方で保持している状態で撮像ボタン２０の操作を行い易くしている。【００１８】
以下、本発明の実施の形態１の動作を説明する。図４は、本発明の実施の形態１におけるデジタルカメラ１００の、表示制御部４９における処理手順を示すフローチャートである。【００１９】
まず、ステップＳ１０１において表示制御部４９は、ＣＣＤセンサ３１から被写体の画像データ３０１を取得し、ステップＳ１０２において取得した画像データ３０１を表示するための画像信号４０１をＬＣＤ４１へ出力する。これにより画像データ３０１がＬＣＤ４１に表示される。【００２０】
次に、ステップＳ１０３において表示制御部４９は、操作検知信号２０１を受け付ける。受け付けた操作検知信号２０１が「離反」である場合（ステップＳ１０４、ＮＯ）、表示制御部４９は、再びステップＳ１０１から処理を開始する。【００２１】
受け付けた操作検知信号２０１が「押下」である場合（ステップＳ１０４、ＹＥＳ）、ステップＳ１０５において表示制御部４９は、画像データ３０１の表示を継続するよう、画像信号４０１を出力する。これにより、画像データ３０１の表示は継続される。ステップＳ１０５の処理が行われた後、デジタルカメラ１００の位置や角度の変化により被写体像が変化しても、ＬＣＤ４１に表示された画像の消去や更新は行われず、ステップＳ１０５の処理が行われた時点でのＬＣＤ４１の表示の状態が継続される。【００２２】
さらに、ステップＳ１０６において表示制御部４９は、操作検知信号２０１を受け付ける。受け付けた操作検知信号２０１が「押下」である場合（ステップＳ１０７、ＮＯ）、表示制御部４９は、再びステップＳ１０５から処理を開始する。【００２３】
受け付けた操作検知信号２０１が「離反」である場合（ステップＳ１０７、ＹＥＳ）、ステップＳ１０８において表示制御部４９は、画像データ３０１の表示を終了する。【００２４】
図５から図９は、本発明の実施の形態１におけるデジタルカメラ１００の動作を説明する図である。図５から図９は、デジタルカメラ１００を用いて利用者が後頭部の状態を確認する様子を例として説明してある。以下、図５から図９を中心にして、本発明の実施の形態１におけるデジタルカメラ１００の動作を説明する。なお、説明の便宜上、利用者の後頭部に描かれた「Ｐ」の文字が確認対象となる被写体７００であるものとして説明を行う。【００２５】
まず、図５に示すとおり、利用者がＣＣＤセンサ３１を後頭部の被写体７００の正面に向くようにデジタルカメラ１００を保持すると、表示制御部４９が図４のステップＳ１０１において被写体７００の画像データ３０１を取得する。ステップＳ１０２において表示制御部４９が画像データ３０１をＬＣＤ４１に表示するよう画像信号４０１を出力すると、被写体７００の画像７０１がＬＣＤ４１に表示される（図６）。【００２６】
次に表示制御部４９は、ステップＳ１０３において操作検知信号２０１を受け付ける。そして、利用者が撮像ボタン２０を押下するまで、表示制御部４９はステップＳ１０１からステップＳ１０４の処理を繰り返す。この間、ＬＣＤ４１に表示される被写体７００の画像７０１は更新され続ける。【００２７】
ここで利用者が撮像ボタン２０を押下すると（図７）、表示制御部４９は、操作検知信号「押下」を検知し（ステップＳ１０４、ＹＥＳ）、ステップＳ１０５において直前に取得した被写体７００の画像データ３０１の表示７０２を保持する。【００２８】
続いて表示制御部４９は、ステップＳ１０６において操作検知信号２０１「押下」を受け付け、利用者が撮像ボタン２０を離反するまでの間、表示制御部４９はステップＳ１０５からステップＳ１０７の処理を繰り返すことにより、ＬＣＤ４１に表示される被写体７００の画像７０２は更新されずに保持される。【００２９】
利用者が撮像ボタン２０を押下したままの状態でデジタルカメラ１００を目の前に移動して画像７０２を目視することにより、利用者は被写体７００、すなわち利用者の後頭部の状態を確認することができる（図８）。【００３０】
利用者が後頭部の状態を確認した後、撮像ボタン２０を離反すると（図９）、表示制御部４９はステップＳ１０６において操作検知信号「離反」を受け付け、ステップＳ１０７の判断でＹＥＳへ進み、ステップＳ１０８において表示７０２を終了する。【００３１】
以上説明したように、本発明の実施の形態１において、デジタルカメラ１００を、撮像ボタン２０が押下されたときに画像データ３０１の表示を保持し、撮像ボタン２０の離反、すなわち押下操作の終了によって画像データ３０１の表示を終了するよう構成した。これにより、撮像ボタン２０の押下操作によって表示している撮像した画像データを、撮像ボタン２０を離反するだけで消去できるので、利用者が目視できない後頭部等の箇所を簡易な操作で確認することができる。【００３２】
（実施の形態２）
次に、本発明の実施の形態２について説明する。本発明の実施の形態２は、既に説明した本発明の実施の形態１の構成に、撮像した画像データを保存する画像保存手段と、撮像が成されていることを周囲に通知する撮像通知手段とを追加し、画像保存手段が画像データを保存する場合に撮像通知手段が通知を行う一方、画像保存手段が画像データを保存しない場合に通知を行わないよう構成している。また本発明の実施の形態２は、表示手段が被写体の方向に対して所定の方向へ回転した状態で画像データを表示するよう構成している。【００３３】
図１０は、本発明の実施の形態２における撮像画像表示装置１の概略構成図である。図１０において、撮像画像表示装置１は図１に示す実施の形態１における撮像画像表示装置の構成要素に加えて、画像保存手段５および撮像通知手段６を備える。【００３４】
画像保存手段５は、操作検知信号２０１に基づいて画像データ３０１を保存する。また画像保存手段５は、操作検知信号２０１に基づいて撮像が成されていることを周囲に通知する指示である通知指示５０６を出力する。撮像通知手段６は、通知指示５０６に基づいて撮像が成されていることを通知する。【００３５】
図１１は、本発明の実施の形態２における撮像画像表示装置１を携帯電話端末２００に設けたときの構成図である。図１１において携帯電話端末２００は、図１０で説明した構成要素である操作検知手段２として第一の撮像ボタン２１および第二の撮像ボタン２２を、画像保存手段５として保存制御部５９、内部メモリ５１および保存切替手段５２を、撮像通知手段６として音源モジュール６２およびスピーカ６１を備える。【００３６】
第一の撮像ボタン２１、第二の撮像ボタン２２は、押下操作の開始を検知してそれぞれ「１押下」、「２押下」を操作検知信号２０１として出力する。また第一の撮像ボタン２１、第二の撮像ボタン２２は、押下操作の終了を検知していずれも「離反」を操作検知信号２０１として出力する。【００３７】
表示制御部４９は、操作検知信号２０１に基づいて画像データ３０１を表示するための信号である画像信号４０１を出力する。この際、画像データ３０１に対して左右反転、時計回りに９０度回転、反時計回りに９０度回転のうちのいずれかの処理を行った画像を表示するための画像信号４０１を出力する。表示制御部４９は、たとえば中央処理装置（Ｃｅｎｔｒａｌ  Ｐｒｏｃｅｓｓｉｎｇ  Ｕｉｎｔ、以下「ＣＰＵ」と略す）、ＣＰＵ上で動作するソフトウエア、グラフィックスコントローラ、およびグラフィックスコントローラを駆動するドライバソフトウエア等で構成される。【００３８】
保存制御部５９は、操作検知信号２０１に基づいて画像データ３０１を保存するための指示である保存指示５０５を出力する。また保存制御部５９は、操作検知信号２０１に基づいて通知指示５０６を出力する。保存制御部５９は、たとえばＣＰＵやＣＰＵ上で動作するソフトウエア等で構成される。【００３９】
内部メモリ５１は、保存指示５０５に基づいて画像データ３０１を保存する。保存切替手段５２は、画像データ３０１を内部メモリ５１へ保存するか否かを切り替えるための手段である。【００４０】
音源モジュール６２は、通知指示５０６に基づいて通知音の波形を示す信号である通知音信号６０１を出力する。スピーカ６１は、通知音信号６０１を振動に変換して放音する。【００４１】
図１２および図１３は、本発明の実施の形態２における携帯電話端末２００の外観を示す図である。図１２および図１３に示すとおり、ＣＣＤセンサ３１はＬＣＤ４１と同じ側に設けられている。また、第一の撮像ボタン２１と第二の撮像ボタン２２は互いに対向する側面に設けられており、利用者が右手で操作する場合は第一の撮像ボタン２１を、左手で操作する場合は第二の撮像ボタン２２をそれぞれ操作できるようになっている。このように複数の操作子を操作検知手段２として筐体の異なる側面に設けることにより、利用者が左右いずれかの手で筐体を保持しているのかを撮像画像表示装置１が判断できるようになっている。【００４２】
以下、本発明の実施の形態２の動作を説明する。図１４は、本発明の実施の形態２における携帯電話端末２００の表示制御部４９における処理手順を示すフローチャートである。ステップＳ２０２において、表示制御部４９が取得した画像データ３０１を左右反転して表示するための画像信号４０１を出力する。【００４３】
ステップＳ２０４において表示制御部４９は、受け付けた操作検知信号２０１が「１押下」であるか「２押下」であるか、すなわち第一の撮像ボタン２１が押下されたか、第二の撮像ボタン２２が押下されたかを判断する。受け付けた操作検知信号２０１が「離反」である場合（ステップＳ２０４、ＮＯ）、表示制御部４９は、再びステップＳ１０１から処理を開始する。【００４４】
受け付けた操作検知信号２０１が「１押下」である場合（ステップＳ２０４、撮像ボタン１）、ステップＳ２０５において表示制御部４９は、画像データ３０１を反時計回りに９０度回転した状態でＬＣＤ４１に表示するよう画像信号４０１を出力する。一方、受け付けた操作検知信号２０１が「２押下」である場合（ステップＳ２０４、撮像ボタン２）、ステップＳ２０６において表示制御部４９は、画像データ３０１を時計回りに９０度回転した状態でＬＣＤ４１に表示するよう画像信号４０１を出力する。【００４５】
なお、ステップＳ２０２において表示制御部４９が画像データ３０１を左右反転して表示するよう指示するのは、利用者が携帯電話端末２００を用いて利用者の前面の状態を鏡像で確認できるようにするためである。表示制御部５９がステップＳ２０２の処理を行うことにより、前面の状態を確認する場合と後面の状態を確認する場合とで利用者が表示の切り替えのための別操作を行う必要がなくなるため、簡易な操作で利用者の前面と後面の状態を確認することができる。【００４６】
図１５は、本発明の実施の形態２における携帯電話端末２００の保存制御部５９における処理手順を示すフローチャートである。まず、保存切替手段５２の切替状態が画像データ３０１を内部メモリ５１に保存するように切り替えられている場合（ステップＳ３０１、ＹＥＳ）、ステップＳ３０２において保存制御部５９は、操作検知信号２０１を受け付ける。なお、保存切替手段５２の切替状態が画像データ３０１を内部メモリ５１に保存しないように切り替えられている場合（ステップＳ３０１、ＮＯ）、保存制御部５９は、何も処理を行わない。【００４７】
次に、ステップＳ３０３において保存制御部５９は、受け付けた操作検知信号２０１に基づいて第一の撮像ボタン２１、第二の撮像ボタン２２のうちのいずれかが押下されているかを判断する。いずれのボタンも押下されていない場合（ステップＳ３０３、ＮＯ）、保存制御部５９は、何も処理を行わない。【００４８】
いずれかのボタンが押下されている場合（ステップＳ３０３、ＹＥＳ）、ステップＳ３０４において、保存制御部５９が通知音を鳴動するために通知指示５０６を出力すると、音源モジュール６２が通知音信号６０１を出力し、スピーカ６１が通知音を放音する。ステップＳ３０５において保存制御部５９が画像データ３０１を保存するために保存指示５０５を出力すると、内部メモリ５１が画像データ３０１を保存する。【００４９】
以上、図１５を用いて説明したように、本発明の実施の形態２における携帯電話端末２００においては、ステップＳ３０４で撮像通知手段６が、保存切替手段５２が画像データ３０１を保存するよう切り替えられている場合には、ステップＳ３０２で受け付けた操作検知信号２０１に基づいて撮像が成されていることを周囲に通知し、保存切替手段５２が画像データ３０１を保存しないよう切り替えられている場合には、通知を行わない。【００５０】
図１６から図２５は、本発明の実施の形態２における携帯電話端末２００の動作を説明する図である。図１６から図２０は、利用者が携帯電話端末２００を右手で保持して後頭部の状態を確認する様子を、図２１から図２５は、利用者が携帯電話端末２００を左手で保持して後頭部の状態を確認する様子を説明してある。以下、図１６から図２５を中心にして、本発明の実施の形態２における携帯電話端末２００の動作を説明する。【００５１】
なお、図１６から図２５に示す動作において、保存切替手段５２は、画像データ３０１を内部メモリ５１へ保存しないように切り替えられているものとして説明を行う。また、図１６から図１８および図２１から図２３において、ＬＣＤ４１およびＬＣＤ４１に表示される画像７１１、画像７１２、画像７２１、画像７２２は携帯電話端末２００の筐体の裏側に位置するため見ることができないが、説明の便宜上、破線を用いて図中に描いてある。【００５２】
まず、図１６に示すとおり、利用者がＣＣＤセンサ３１を後頭部の被写体７００の正面に向くように右手で携帯電話端末２００を保持すると、表示制御部４９が図１４のステップＳ１０１において被写体７００の画像データ３０１を取得する。ステップＳ２０２において、表示制御部４９が画像データ３０１を左右反転して表示するよう画像信号４０１を出力すると、被写体７００に対して左右反転された状態、すなわち被写体７００の鏡像の画像７１１がＬＣＤ４１に表示される（図１７）。【００５３】
表示制御部４９は、ステップＳ１０３において操作検知信号２０１を受け付ける。第１の撮像ボタン２１が押下されていない場合（ステップＳ２０４、ＮＯ）、表示制御部４９は、再びステップＳ１０１から処理を開始する。利用者が第一の撮像ボタン２１を押下するまでの間、表示制御部４９はステップＳ１０１からステップＳ２０４の処理を繰り返すことにより、ＬＣＤ４１に表示される被写体７００の画像７１１が更新され続ける。【００５４】
ここで利用者が第一の撮像ボタン２１を押下すると（図１８）、表示制御部４９はステップＳ１０３において操作検知信号「１押下」を受け付け（ステップＳ２０４、撮像ボタン１）、ステップＳ２０５において、表示制御部４９が画像データ３０１を反時計回りに９０度回転するよう画像信号４０１を出力する。これにより、被写体７００に対して反時計回りに９０度回転した状態の画像７１２がＬＣＤ４１に表示される。続いて表示制御部４９がステップＳ１０５の処理を行うと、被写体７００の画像データ３０１を反時計回りに９０度回転した画像７１２の表示が保持される。【００５５】
また利用者が第一の撮像ボタン２１を押下した際、保存制御部５９は図１５に示すフローチャートに従って処理を行うが、ステップＳ３０１の判断が「ＮＯ」であるためステップＳ３０２以降の処理は実行しないので、周囲への通知も画像データ３０１の保存も行われない。【００５６】
利用者が第一の撮像ボタン２１を押下したままの状態で携帯電話端末２００を目の前に移動して画像７１２を目視することにより、利用者は被写体７００、すなわち利用者の後頭部の状態を確認することができる（図１９）。【００５７】
利用者が後頭部の状態を確認した後、第一の撮像ボタン２１を離反すると（図２０）、表示制御部４９はステップＳ１０６において操作検知信号「離反」を受け付け（ステップＳ１０７、ＹＥＳ）、ステップＳ１０８において表示７１２を終了する。【００５８】
図１９で利用者が画像７１２を目視する際、携帯電話端末２００の筐体は図１６から図１８の筐体の方向と異なる方向で保持されることになるが、ステップＳ２０５の処理によって画像データ３０１があらかじめ回転した状態でＬＣＤ４１に表示されているため、利用者は被写体７００を適切な方向で確認することができる。【００５９】
利用者が本発明の実施の形態２における携帯電話端末２００を左手で保持している場合も、利用者が携帯電話端末２００を右手で保持している場合と同様の処理により動作するが、図２３において利用者が第二の撮像ボタン２２を押下することになるため、表示制御部４９はステップＳ２０５の代わりにステップＳ２０６の処理を行うことになる。従って、図２３に示すとおり、表示画像７２２は携帯電話端末２００を右手で保持している場合とは反対に、時計回りに９０度回転した状態でＬＣＤ４１に表示される。【００６０】
ステップＳ２０６において、右手で保持している場合とは逆方向へ表示画像７２２を９０度回転する処理を行うことにより、利用者が表示画像７２２を目視する際（図２４）に、利用者は被写体７００を適切な方向で確認することができる。【００６１】
以上説明したように、本発明の実施の形態２における携帯電話端末２００においては、操作検知信号２０１に基づいて被写体の方向に対して所定の方向へ回転した状態で画像データ３０１をＬＣＤ４１に表示するよう構成した。これにより、撮像した画像データ３０１を適切な方向でＬＣＤ４１に表示することができるので、撮影した画像データ３０１の確認のために利用者が携帯電話端末２００を持ち替える動作を行う必要がなく、利用者が目視できない後頭部等の箇所を簡易な操作で確認することができる。【００６２】
また、本発明の実施の形態２における携帯電話端末２００においては、第一の撮像ボタン２１と第二の撮像ボタン２２を筐体の異なる側面に備え、第一の撮像ボタン２１が押下された場合と第二の撮像ボタン２２が押下された場合とで異なる方向へ画像データ３０１を回転して表示するようにした。これにより、利用者が携帯電話端末２００を左手と右手のいずれで保持している場合であっても撮像した画像データ３０１を適切な方向でＬＣＤ４１に表示することができるので、撮影した画像データ３０１の確認のために利用者が携帯電話端末２００を持ち替える動作を行う必要がないため、利用者が目視できない箇所を簡易な操作で確認することができる。【００６３】
また、本発明の実施の形態２における携帯電話端末２００においては、保存切替手段５２が画像データ３０１を内部メモリ５１へ保存するよう切り替えられている場合にスピーカ６１から通知音を出力する一方、保存切替手段５２が画像データ３０１を内部メモリ５１へ保存しないよう切り替えられている場合にスピーカ６１から通知音を出力しないように構成した。これにより、第一の撮像ボタン２１または第二の撮像ボタン２２を操作する度に唐突な通知によって周囲の注目を集めるといった煩わしさが無くなり、利用者が目視できない箇所を簡易な操作で確認することができるとともに利便性が向上する。【００６４】
なお、本発明の実施の形態において、操作検知手段として一ないし互いに独立して操作される二の操作子を備えているものとしたが、これに限るものではなく、例えば指による押下を検知する操作子と掌の接触を検知する操作子とを別々に備えておき、どの操作子が同時に操作を検知するかによって筐体の保持状態を判断する等、複数の操作検知手段の操作の組合せに基づいて処理を実行するようにすれば、筐体の保持状態をより正確に判断することができ、本発明をより好適に実施できる。【００６５】
なお、また、本発明の実施の形態２において、画像保存手段が画像データを保存しない場合に撮像通知手段が通知を行わないようにしたが、画像データを保存する場合と通知動作が異なるようにすればよく、たとえば画像データを保存しない場合は画像データを保存する場合よりも小音量または短時間または周波数の異なる通知音を出力する、画像データを保存しない場合は光で通知する、等としてもよい。【００６６】
なお、また、本発明の表示手段は、操作検知手段の操作の開始によって画像データを静止画表示として保持する必要はなく、たとえば表示手段に複数の画像データを記憶する記憶手段を設け、操作検知手段の操作が行われる以前の所定時間に撮像された画像データを記憶手段に一時的に記憶し、記憶した画像データを操作検知手段の操作の開始によって動画として表示手段に表示するようにしてもよい。【００６７】
なお、また、本発明の実施の形態において、デジタルカメラおよび携帯電話端末を例として説明したが、これに限るものではなく、操作検知手段と撮像手段と表示手段を具備する電子機器であれば本発明を実施することができる。【００６８】
本明細書は、２００５年１２月２１日出願の特願２００５−３６７７１０に基づく。この内容はすべてここに含めておく。
【産業上の利用可能性】
【００６９】
本発明の撮像画像表示装置および撮像画像表示方法は、利用者が目視できない箇所を簡易な操作で確認することができるという効果を有し、撮影機能を有する携帯型電子機器に有用である。
【図１】
2007072583.tif 000003
【図２】
2007072583.tif 000004
【図３Ａ】
2007072583.tif 000005
【図３Ｂ】
2007072583.tif 000006
【図４】
2007072583.tif 000007
【図５】
2007072583.tif 000008
【図６】
2007072583.tif 000009
【図７】
2007072583.tif 000010
【図８】
2007072583.tif 000011
【図９】
2007072583.tif 000012
【図１０】
2007072583.tif 000013
【図１１】
2007072583.tif 000014
【図１２】
2007072583.tif 000015
【図１３】
2007072583.tif 000016
【図１４】
2007072583.tif 000017
【図１５】
2007072583.tif 000018
【図１６】
2007072583.tif 000019
【図１７】
2007072583.tif 000020
【図１８】
2007072583.tif 000021
【図１９】
2007072583.tif 000022
【図２０】
2007072583.tif 000023
【図２１】
2007072583.tif 000024
【図２２】
2007072583.tif 000025
【図２３】
2007072583.tif 000026
【図２４】
2007072583.tif 000027
【図２５】
2007072583.tif 000028
【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
利用者の操作子に対する行為により画像データ表示の操作を検知する操作検知手段と、
被写体を撮像して画像データを生成する撮像手段と、
前記操作検知手段が前記操作の開始を検知してから前記操作の終了を検知するまで前記撮像手段が生成した前記画像データの表示を保持し、前記操作検知手段が前記操作の終了を検知した場合、前記画像データの表示を終了する表示手段と、を具備する撮像画像表示装置。
【請求項２】
前記操作子はボタンであり、利用者の前記ボタンを押下する行為により前記操作の開始を検知し、利用者の前記押下したボタンを離反する行為により前記操作の終了を検知する請求項１記載の撮像画像表示装置。
【請求項３】
前記表示手段は、前記画像データを所定の方向へ回転した状態で表示する請求項１記載の撮像画像表示装置。
【請求項４】
前記操作検知手段は、複数の操作子を含み、
前記表示手段は、前記操作子毎に対応づけられた所定の方向へ前記画像データを回転した状態で表示する請求項１記載の撮像画像表示装置。
【請求項５】
前記画像データを保存する画像保存手段と、
前記操作検知手段の検知に基づいて撮像が成されていることを周囲に通知する撮像通知手段と、をさらに具備し、
前記撮像通知手段は、前記画像保存手段が前記画像データを保存する場合と、前記画像保存手段が前記画像データを保存しない場合とで、前記通知の動作が異なる請求項１記載の撮像画像表示装置。
【請求項６】
前記画像保存手段は、前記画像データを保存するか否かを切り替える保存切替手段を具備し、
前記撮像通知手段は、前記保存切替手段が前記画像データを保存するように切り替えられている場合、前記通知を行い、前記保存切替手段が前記画像データを保存しないよう切り替えられている場合、前記通知を行わない請求項５記載の撮像画像表示装置。
【請求項７】
利用者の操作子に対する行為により画像データ表示の操作を検知する第１のステップと、
被写体を撮像して画像データを生成する第２のステップと、
前記操作の開始を検知した場合、前記生成した画像データの表示を保持する第３のステップと、
前記操作の終了を検知する第４のステップと、
前記操作の終了を検知した場合、前記画像データの表示を終了する第５のステップと、を有する撮像画像表示方法。
【請求項８】
前記第２のステップは、前記画像データの表示を所定の方向へ回転した状態で表示する請求項７記載の撮像画像表示方法。
【請求項９】
前記第２のステップは、操作子毎に対応づけられた所定の方向へ前記画像データを回転した状態で表示する請求項７記載の撮像画像表示方法。
【手続補正２】
【補正対象書類名】明細書
【補正対象項目名】全文
【補正方法】変更
【補正の内容】
【発明の詳細な説明】
【技術分野】
【０００１】
本発明は、被写体像を撮像して表示する装置に関し、特に撮影機能を有する携帯型電子機器に利用可能な撮像画像表示装置に関する。
【背景技術】
【０００２】
近年、携帯電話端末は高機能化し、通話機能や通信機能に加えて撮影機能を有する携帯電話端末が既に一般に普及している。撮影機能を有する携帯電話端末の多くは、撮像素子とディスプレイを備えており、撮像している画像をディスプレイに表示するよう構成されている。この構成により、利用者は携帯電話端末のディスプレイの表示を確認しながら被写体の撮影、および撮影した画像データの保存や消去を行うことができる。
【０００３】
撮影機能を有する携帯電話端末の中には、利用者の周辺に存在する被写体だけでなく、利用者自身の姿を撮像してディスプレイに表示するよう構成されているものも提案されている。この発明によれば、利用者が利用者自身を撮影する際に顔等の状態を確認することができる。また、この発明によれば、被写体を撮影し保存する用途だけでなく、利用者自身の姿を映す「手鏡」の代用品として携帯電話端末を利用することもできる（例えば特許文献１参照）。
【特許文献１】特開２００３−１６９１１６号公報（第９ページ、図１）
【発明の開示】
【発明が解決しようとする課題】
【０００４】
しかしながら、上記従来の携帯電話端末にあっては、利用者の前面の状態を確認することができるものの、後頭部等、利用者の後面の状態を確認することができないという問題があった。
【０００５】
また、上記従来の携帯電話端末で利用者の後部を撮影しておき、撮影した画像をディスプレイに表示させて確認する方法もあるが、利用者は画像を確認した後、ディスプレイの表示を終了させるために消去ボタン押下やメニュー選択等の消去操作を行わなくてはならず、操作が煩雑であるという問題があった。
【０００６】
本発明の目的は、上記従来の課題を解決するものであり、利用者が目視できない箇所を簡易な操作で確認することができる撮像画像表示装置を提供することを目的とする。
【課題を解決するための手段】
【０００７】
本発明の撮像画像表示装置は、利用者の操作子に対する行為により画像データ表示の操作を検知する操作検知手段と、被写体を撮像して画像データを生成する撮像手段と、前記操作検知手段が前記操作の開始を検知してから前記操作の終了を検知するまで前記撮像手段が生成した前記画像データの表示を保持し、前記操作検知手段が前記操作の終了を検知した場合、前記画像データの表示を終了する表示手段と、を具備する構成を採る。
【０００８】
本発明の撮像画像表示方法は、利用者の操作子に対する行為により画像データ表示の操作を検知する第１のステップと、被写体を撮像して画像データを生成する第２のステップと、前記操作の開始を検知した場合、前記生成した画像データの表示を保持する第３のステップと、前記操作の終了を検知する第４のステップと、前記操作の終了を検知した場合、前記画像データの表示を終了する第５のステップと、を有する方法を採る。
【発明の効果】
【０００９】
本発明によれば、操作検知手段が操作の開始を検知したことに基づいて表示している撮像した画像データを、操作の終了を検知したことに基づいて消去することにより、利用者が目視できない箇所を簡易な操作で確認することができる。
【発明を実施するための最良の形態】
【００１０】
以下、本発明を実施するための最良の形態について、図面を参照しながら説明する。なお、実施の形態を説明するための全図において、同一の構成要素には同一符号を付与し、重複する説明は省略する。
【００１１】
（実施の形態１）
図１は、本発明の実施の形態１における撮像画像表示装置１の概略構成図である。図１において、撮像画像表示装置１は操作検知手段２、撮像手段３、表示手段４を備える。
【００１２】
操作検知手段２は、操作を検知して操作検知信号２０１を出力する。撮像手段３は、被写体を撮像して画像データ３０１を出力する。表示手段４は、操作検知信号２０１に基づいて画像データ３０１を表示する。
【００１３】
図２は、本発明の実施の形態１における撮像画像表示装置１をデジタルカメラ１００に適用したときの構成図である。
【００１４】
図２においてデジタルカメラ１００は、図１で説明した構成要素である操作検知手段２として撮像ボタン２０を、撮像手段３として電荷結合素子を用いたイメージセンサ（Ｃｈａｒｇｅ  Ｃｏｕｐｌｅｄ  Ｄｅｖｉｃｅ  Ｉｍａｇｅ  Ｓｅｎｓｏｒ、以下「ＣＣＤセンサ」と略す）３１を、表示手段４として表示制御部４９および液晶表示手段（Ｌｉｑｕｉｄ  Ｃｒｙｓｔａｌ  Ｄｉｓｐｌａｙ、以下「ＬＣＤ」と略す）４１を備える。
【００１５】
撮像ボタン２０は、押下操作の開始を検知して「押下」を、押下操作の終了を検知して「離反」を操作検知信号２０１として出力する。表示制御部４９は、操作検知信号２０１に基づいて画像データ３０１を表示するための信号である画像信号４０１を出力する。ＬＣＤ４１は、画像信号４０１を視認可能に表示する。
【００１６】
図３Ａ、図３Ｂは、本発明の実施の形態１におけるデジタルカメラ１００の外観を示す図である。図３Ａに示すとおり、ＣＣＤセンサ３１がデジタルカメラ１００の筐体の正面に設けられている。また、撮像ボタン２０が筐体の側面に設けられている。図３Ｂは、図３Ａに示すデジタルカメラ１００を裏側から見た外観を示す。図３Ｂに示すとおり、ＬＣＤ４１がＣＣＤセンサ３１の裏側に設けられている。撮像ボタン２０をデジタルカメラ１００の側面に備えることにより、利用者がデジタルカメラ１００を後方で保持している状態で撮像ボタン２０の操作を行い易くしている。
【００１７】
以下、本発明の実施の形態１の動作を説明する。図４は、本発明の実施の形態１におけるデジタルカメラ１００の、表示制御部４９における処理手順を示すフローチャートである。
【００１８】
まず、ステップＳ１０１において表示制御部４９は、ＣＣＤセンサ３１から被写体の画像データ３０１を取得し、ステップＳ１０２において取得した画像データ３０１を表示するための画像信号４０１をＬＣＤ４１へ出力する。これにより画像データ３０１がＬＣＤ４１に表示される。
【００１９】
次に、ステップＳ１０３において表示制御部４９は、操作検知信号２０１を受け付ける。受け付けた操作検知信号２０１が「離反」である場合（ステップＳ１０４、ＮＯ）、表示制御部４９は、再びステップＳ１０１から処理を開始する。
【００２０】
受け付けた操作検知信号２０１が「押下」である場合（ステップＳ１０４、ＹＥＳ）、ステップＳ１０５において表示制御部４９は、画像データ３０１の表示を継続するよう、画像信号４０１を出力する。これにより、画像データ３０１の表示は継続される。ステップＳ１０５の処理が行われた後、デジタルカメラ１００の位置や角度の変化により被写体像が変化しても、ＬＣＤ４１に表示された画像の消去や更新は行われず、ステップＳ１０５の処理が行われた時点でのＬＣＤ４１の表示の状態が継続される。
【００２１】
さらに、ステップＳ１０６において表示制御部４９は、操作検知信号２０１を受け付ける。受け付けた操作検知信号２０１が「押下」である場合（ステップＳ１０７、ＮＯ）、表示制御部４９は、再びステップＳ１０５から処理を開始する。
【００２２】
受け付けた操作検知信号２０１が「離反」である場合（ステップＳ１０７、ＹＥＳ）、ステップＳ１０８において表示制御部４９は、画像データ３０１の表示を終了する。
【００２３】
図５から図９は、本発明の実施の形態１におけるデジタルカメラ１００の動作を説明する図である。図５から図９は、デジタルカメラ１００を用いて利用者が後頭部の状態を確認する様子を例として説明してある。以下、図５から図９を中心にして、本発明の実施の
形態１におけるデジタルカメラ１００の動作を説明する。なお、説明の便宜上、利用者の後頭部に描かれた「Ｐ」の文字が確認対象となる被写体７００であるものとして説明を行う。
【００２４】
まず、図５に示すとおり、利用者がＣＣＤセンサ３１を後頭部の被写体７００の正面に向くようにデジタルカメラ１００を保持すると、表示制御部４９が図４のステップＳ１０１において被写体７００の画像データ３０１を取得する。ステップＳ１０２において表示制御部４９が画像データ３０１をＬＣＤ４１に表示するよう画像信号４０１を出力すると、被写体７００の画像７０１がＬＣＤ４１に表示される（図６）。
【００２５】
次に表示制御部４９は、ステップＳ１０３において操作検知信号２０１を受け付ける。そして、利用者が撮像ボタン２０を押下するまで、表示制御部４９はステップＳ１０１からステップＳ１０４の処理を繰り返す。この間、ＬＣＤ４１に表示される被写体７００の画像７０１は更新され続ける。
【００２６】
ここで利用者が撮像ボタン２０を押下すると（図７）、表示制御部４９は、操作検知信号「押下」を検知し（ステップＳ１０４、ＹＥＳ）、ステップＳ１０５において直前に取得した被写体７００の画像データ３０１の表示７０２を保持する。
【００２７】
続いて表示制御部４９は、ステップＳ１０６において操作検知信号２０１「押下」を受け付け、利用者が撮像ボタン２０を離反するまでの間、表示制御部４９はステップＳ１０５からステップＳ１０７の処理を繰り返すことにより、ＬＣＤ４１に表示される被写体７００の画像７０２は更新されずに保持される。
【００２８】
利用者が撮像ボタン２０を押下したままの状態でデジタルカメラ１００を目の前に移動して画像７０２を目視することにより、利用者は被写体７００、すなわち利用者の後頭部の状態を確認することができる（図８）。
【００２９】
利用者が後頭部の状態を確認した後、撮像ボタン２０を離反すると（図９）、表示制御部４９はステップＳ１０６において操作検知信号「離反」を受け付け、ステップＳ１０７の判断でＹＥＳへ進み、ステップＳ１０８において表示７０２を終了する。
【００３０】
以上説明したように、本発明の実施の形態１において、デジタルカメラ１００を、撮像ボタン２０が押下されたときに画像データ３０１の表示を保持し、撮像ボタン２０の離反、すなわち押下操作の終了によって画像データ３０１の表示を終了するよう構成した。これにより、撮像ボタン２０の押下操作によって表示している撮像した画像データを、撮像ボタン２０を離反するだけで消去できるので、利用者が目視できない後頭部等の箇所を簡易な操作で確認することができる。
【００３１】
（実施の形態２）
次に、本発明の実施の形態２について説明する。本発明の実施の形態２は、既に説明した本発明の実施の形態１の構成に、撮像した画像データを保存する画像保存手段と、撮像が成されていることを周囲に通知する撮像通知手段とを追加し、画像保存手段が画像データを保存する場合に撮像通知手段が通知を行う一方、画像保存手段が画像データを保存しない場合に通知を行わないよう構成している。また本発明の実施の形態２は、表示手段が被写体の方向に対して所定の方向へ回転した状態で画像データを表示するよう構成している。
【００３２】
図１０は、本発明の実施の形態２における撮像画像表示装置１の概略構成図である。図１０において、撮像画像表示装置１は図１に示す実施の形態１における撮像画像表示装置
の構成要素に加えて、画像保存手段５および撮像通知手段６を備える。
【００３３】
画像保存手段５は、操作検知信号２０１に基づいて画像データ３０１を保存する。また画像保存手段５は、操作検知信号２０１に基づいて撮像が成されていることを周囲に通知する指示である通知指示５０６を出力する。撮像通知手段６は、通知指示５０６に基づいて撮像が成されていることを通知する。
【００３４】
図１１は、本発明の実施の形態２における撮像画像表示装置１を携帯電話端末２００に設けたときの構成図である。図１１において携帯電話端末２００は、図１０で説明した構成要素である操作検知手段２として第一の撮像ボタン２１および第二の撮像ボタン２２を、画像保存手段５として保存制御部５９、内部メモリ５１および保存切替手段５２を、撮像通知手段６として音源モジュール６２およびスピーカ６１を備える。
【００３５】
第一の撮像ボタン２１、第二の撮像ボタン２２は、押下操作の開始を検知してそれぞれ「１押下」、「２押下」を操作検知信号２０１として出力する。また第一の撮像ボタン２１、第二の撮像ボタン２２は、押下操作の終了を検知していずれも「離反」を操作検知信号２０１として出力する。
【００３６】
表示制御部４９は、操作検知信号２０１に基づいて画像データ３０１を表示するための信号である画像信号４０１を出力する。この際、画像データ３０１に対して左右反転、時計回りに９０度回転、反時計回りに９０度回転のうちのいずれかの処理を行った画像を表示するための画像信号４０１を出力する。表示制御部４９は、たとえば中央処理装置（Ｃｅｎｔｒａｌ  Ｐｒｏｃｅｓｓｉｎｇ  Ｕｉｎｔ、以下「ＣＰＵ」と略す）、ＣＰＵ上で動作するソフトウエア、グラフィックスコントローラ、およびグラフィックスコントローラを駆動するドライバソフトウエア等で構成される。
【００３７】
保存制御部５９は、操作検知信号２０１に基づいて画像データ３０１を保存するための指示である保存指示５０５を出力する。また保存制御部５９は、操作検知信号２０１に基づいて通知指示５０６を出力する。保存制御部５９は、たとえばＣＰＵやＣＰＵ上で動作するソフトウエア等で構成される。
【００３８】
内部メモリ５１は、保存指示５０５に基づいて画像データ３０１を保存する。保存切替手段５２は、画像データ３０１を内部メモリ５１へ保存するか否かを切り替えるための手段である。
【００３９】
音源モジュール６２は、通知指示５０６に基づいて通知音の波形を示す信号である通知音信号６０１を出力する。スピーカ６１は、通知音信号６０１を振動に変換して放音する。
【００４０】
図１２および図１３は、本発明の実施の形態２における携帯電話端末２００の外観を示す図である。図１２および図１３に示すとおり、ＣＣＤセンサ３１はＬＣＤ４１と同じ側に設けられている。また、第一の撮像ボタン２１と第二の撮像ボタン２２は互いに対向する側面に設けられており、利用者が右手で操作する場合は第一の撮像ボタン２１を、左手で操作する場合は第二の撮像ボタン２２をそれぞれ操作できるようになっている。このように複数の操作子を操作検知手段２として筐体の異なる側面に設けることにより、利用者が左右いずれかの手で筐体を保持しているのかを撮像画像表示装置１が判断できるようになっている。
【００４１】
以下、本発明の実施の形態２の動作を説明する。図１４は、本発明の実施の形態２における携帯電話端末２００の表示制御部４９における処理手順を示すフローチャートである
。ステップＳ２０２において、表示制御部４９が取得した画像データ３０１を左右反転して表示するための画像信号４０１を出力する。
【００４２】
ステップＳ２０４において表示制御部４９は、受け付けた操作検知信号２０１が「１押下」であるか「２押下」であるか、すなわち第一の撮像ボタン２１が押下されたか、第二の撮像ボタン２２が押下されたかを判断する。受け付けた操作検知信号２０１が「離反」である場合（ステップＳ２０４、ＮＯ）、表示制御部４９は、再びステップＳ１０１から処理を開始する。
【００４３】
受け付けた操作検知信号２０１が「１押下」である場合（ステップＳ２０４、撮像ボタン１）、ステップＳ２０５において表示制御部４９は、画像データ３０１を反時計回りに９０度回転した状態でＬＣＤ４１に表示するよう画像信号４０１を出力する。一方、受け付けた操作検知信号２０１が「２押下」である場合（ステップＳ２０４、撮像ボタン２）、ステップＳ２０６において表示制御部４９は、画像データ３０１を時計回りに９０度回転した状態でＬＣＤ４１に表示するよう画像信号４０１を出力する。
【００４４】
なお、ステップＳ２０２において表示制御部４９が画像データ３０１を左右反転して表示するよう指示するのは、利用者が携帯電話端末２００を用いて利用者の前面の状態を鏡像で確認できるようにするためである。表示制御部５９がステップＳ２０２の処理を行うことにより、前面の状態を確認する場合と後面の状態を確認する場合とで利用者が表示の切り替えのための別操作を行う必要がなくなるため、簡易な操作で利用者の前面と後面の状態を確認することができる。
【００４５】
図１５は、本発明の実施の形態２における携帯電話端末２００の保存制御部５９における処理手順を示すフローチャートである。まず、保存切替手段５２の切替状態が画像データ３０１を内部メモリ５１に保存するように切り替えられている場合（ステップＳ３０１、ＹＥＳ）、ステップＳ３０２において保存制御部５９は、操作検知信号２０１を受け付ける。なお、保存切替手段５２の切替状態が画像データ３０１を内部メモリ５１に保存しないように切り替えられている場合（ステップＳ３０１、ＮＯ）、保存制御部５９は、何も処理を行わない。
【００４６】
次に、ステップＳ３０３において保存制御部５９は、受け付けた操作検知信号２０１に基づいて第一の撮像ボタン２１、第二の撮像ボタン２２のうちのいずれかが押下されているかを判断する。いずれのボタンも押下されていない場合（ステップＳ３０３、ＮＯ）、保存制御部５９は、何も処理を行わない。
【００４７】
いずれかのボタンが押下されている場合（ステップＳ３０３、ＹＥＳ）、ステップＳ３０４において、保存制御部５９が通知音を鳴動するために通知指示５０６を出力すると、音源モジュール６２が通知音信号６０１を出力し、スピーカ６１が通知音を放音する。ステップＳ３０５において保存制御部５９が画像データ３０１を保存するために保存指示５０５を出力すると、内部メモリ５１が画像データ３０１を保存する。
【００４８】
以上、図１５を用いて説明したように、本発明の実施の形態２における携帯電話端末２００においては、ステップＳ３０４で撮像通知手段６が、保存切替手段５２が画像データ３０１を保存するよう切り替えられている場合には、ステップＳ３０２で受け付けた操作検知信号２０１に基づいて撮像が成されていることを周囲に通知し、保存切替手段５２が画像データ３０１を保存しないよう切り替えられている場合には、通知を行わない。
【００４９】
図１６から図２５は、本発明の実施の形態２における携帯電話端末２００の動作を説明する図である。図１６から図２０は、利用者が携帯電話端末２００を右手で保持して後頭
部の状態を確認する様子を、図２１から図２５は、利用者が携帯電話端末２００を左手で保持して後頭部の状態を確認する様子を説明してある。以下、図１６から図２５を中心にして、本発明の実施の形態２における携帯電話端末２００の動作を説明する。
【００５０】
なお、図１６から図２５に示す動作において、保存切替手段５２は、画像データ３０１を内部メモリ５１へ保存しないように切り替えられているものとして説明を行う。また、図１６から図１８および図２１から図２３において、ＬＣＤ４１およびＬＣＤ４１に表示される画像７１１、画像７１２、画像７２１、画像７２２は携帯電話端末２００の筐体の裏側に位置するため見ることができないが、説明の便宜上、破線を用いて図中に描いてある。
【００５１】
まず、図１６に示すとおり、利用者がＣＣＤセンサ３１を後頭部の被写体７００の正面に向くように右手で携帯電話端末２００を保持すると、表示制御部４９が図１４のステップＳ１０１において被写体７００の画像データ３０１を取得する。ステップＳ２０２において、表示制御部４９が画像データ３０１を左右反転して表示するよう画像信号４０１を出力すると、被写体７００に対して左右反転された状態、すなわち被写体７００の鏡像の画像７１１がＬＣＤ４１に表示される（図１７）。
【００５２】
表示制御部４９は、ステップＳ１０３において操作検知信号２０１を受け付ける。第１の撮像ボタン２１が押下されていない場合（ステップＳ２０４、ＮＯ）、表示制御部４９は、再びステップＳ１０１から処理を開始する。利用者が第一の撮像ボタン２１を押下するまでの間、表示制御部４９はステップＳ１０１からステップＳ２０４の処理を繰り返すことにより、ＬＣＤ４１に表示される被写体７００の画像７１１が更新され続ける。
【００５３】
ここで利用者が第一の撮像ボタン２１を押下すると（図１８）、表示制御部４９はステップＳ１０３において操作検知信号「１押下」を受け付け（ステップＳ２０４、撮像ボタン１）、ステップＳ２０５において、表示制御部４９が画像データ３０１を反時計回りに９０度回転するよう画像信号４０１を出力する。これにより、被写体７００に対して反時計回りに９０度回転した状態の画像７１２がＬＣＤ４１に表示される。続いて表示制御部４９がステップＳ１０５の処理を行うと、被写体７００の画像データ３０１を反時計回りに９０度回転した画像７１２の表示が保持される。
【００５４】
また利用者が第一の撮像ボタン２１を押下した際、保存制御部５９は図１５に示すフローチャートに従って処理を行うが、ステップＳ３０１の判断が「ＮＯ」であるためステップＳ３０２以降の処理は実行しないので、周囲への通知も画像データ３０１の保存も行われない。
【００５５】
利用者が第一の撮像ボタン２１を押下したままの状態で携帯電話端末２００を目の前に移動して画像７１２を目視することにより、利用者は被写体７００、すなわち利用者の後頭部の状態を確認することができる（図１９）。
【００５６】
利用者が後頭部の状態を確認した後、第一の撮像ボタン２１を離反すると（図２０）、表示制御部４９はステップＳ１０６において操作検知信号「離反」を受け付け（ステップＳ１０７、ＹＥＳ）、ステップＳ１０８において表示７１２を終了する。
【００５７】
図１９で利用者が画像７１２を目視する際、携帯電話端末２００の筐体は図１６から図１８の筐体の方向と異なる方向で保持されることになるが、ステップＳ２０５の処理によって画像データ３０１があらかじめ回転した状態でＬＣＤ４１に表示されているため、利用者は被写体７００を適切な方向で確認することができる。
【００５８】
利用者が本発明の実施の形態２における携帯電話端末２００を左手で保持している場合も、利用者が携帯電話端末２００を右手で保持している場合と同様の処理により動作するが、図２３において利用者が第二の撮像ボタン２２を押下することになるため、表示制御部４９はステップＳ２０５の代わりにステップＳ２０６の処理を行うことになる。従って、図２３に示すとおり、表示画像７２２は携帯電話端末２００を右手で保持している場合とは反対に、時計回りに９０度回転した状態でＬＣＤ４１に表示される。
【００５９】
ステップＳ２０６において、右手で保持している場合とは逆方向へ表示画像７２２を９０度回転する処理を行うことにより、利用者が表示画像７２２を目視する際（図２４）に、利用者は被写体７００を適切な方向で確認することができる。
【００６０】
以上説明したように、本発明の実施の形態２における携帯電話端末２００においては、操作検知信号２０１に基づいて被写体の方向に対して所定の方向へ回転した状態で画像データ３０１をＬＣＤ４１に表示するよう構成した。これにより、撮像した画像データ３０１を適切な方向でＬＣＤ４１に表示することができるので、撮影した画像データ３０１の確認のために利用者が携帯電話端末２００を持ち替える動作を行う必要がなく、利用者が目視できない後頭部等の箇所を簡易な操作で確認することができる。
【００６１】
また、本発明の実施の形態２における携帯電話端末２００においては、第一の撮像ボタン２１と第二の撮像ボタン２２を筐体の異なる側面に備え、第一の撮像ボタン２１が押下された場合と第二の撮像ボタン２２が押下された場合とで異なる方向へ画像データ３０１を回転して表示するようにした。これにより、利用者が携帯電話端末２００を左手と右手のいずれで保持している場合であっても撮像した画像データ３０１を適切な方向でＬＣＤ４１に表示することができるので、撮影した画像データ３０１の確認のために利用者が携帯電話端末２００を持ち替える動作を行う必要がないため、利用者が目視できない箇所を簡易な操作で確認することができる。
【００６２】
また、本発明の実施の形態２における携帯電話端末２００においては、保存切替手段５２が画像データ３０１を内部メモリ５１へ保存するよう切り替えられている場合にスピーカ６１から通知音を出力する一方、保存切替手段５２が画像データ３０１を内部メモリ５１へ保存しないよう切り替えられている場合にスピーカ６１から通知音を出力しないように構成した。これにより、第一の撮像ボタン２１または第二の撮像ボタン２２を操作する度に唐突な通知によって周囲の注目を集めるといった煩わしさが無くなり、利用者が目視できない箇所を簡易な操作で確認することができるとともに利便性が向上する。
【００６３】
なお、本発明の実施の形態において、操作検知手段として一ないし互いに独立して操作される二の操作子を備えているものとしたが、これに限るものではなく、例えば指による押下を検知する操作子と掌の接触を検知する操作子とを別々に備えておき、どの操作子が同時に操作を検知するかによって筐体の保持状態を判断する等、複数の操作検知手段の操作の組合せに基づいて処理を実行するようにすれば、筐体の保持状態をより正確に判断することができ、本発明をより好適に実施できる。
【００６４】
なお、また、本発明の実施の形態２において、画像保存手段が画像データを保存しない場合に撮像通知手段が通知を行わないようにしたが、画像データを保存する場合と通知動作が異なるようにすればよく、たとえば画像データを保存しない場合は画像データを保存する場合よりも小音量または短時間または周波数の異なる通知音を出力する、画像データを保存しない場合は光で通知する、等としてもよい。
【００６５】
なお、また、本発明の表示手段は、操作検知手段の操作の開始によって画像データを静止画表示として保持する必要はなく、たとえば表示手段に複数の画像データを記憶する記
憶手段を設け、操作検知手段の操作が行われる以前の所定時間に撮像された画像データを記憶手段に一時的に記憶し、記憶した画像データを操作検知手段の操作の開始によって動画として表示手段に表示するようにしてもよい。
【００６６】
なお、また、本発明の実施の形態において、デジタルカメラおよび携帯電話端末を例として説明したが、これに限るものではなく、操作検知手段と撮像手段と表示手段を具備する電子機器であれば本発明を実施することができる。
【００６７】
本明細書は、２００５年１２月２１日出願の特願２００５−３６７７１０に基づく。この内容はすべてここに含めておく。
【産業上の利用可能性】
【００６８】
本発明の撮像画像表示装置および撮像画像表示方法は、利用者が目視できない箇所を簡易な操作で確認することができるという効果を有し、撮影機能を有する携帯型電子機器に有用である。
【図面の簡単な説明】
【００６９】
【図１】本発明の実施の形態１における撮像画像表示装置の概略構成図
【図２】本発明の実施の形態１におけるデジタルカメラの構成図
【図３Ａ】本発明の実施の形態１におけるデジタルカメラの第１の外観図
【図３Ｂ】本発明の実施の形態１におけるデジタルカメラの第２の外観図
【図４】本発明の実施の形態１におけるデジタルカメラの表示制御部の処理手順を示すフローチャート
【図５】本発明の実施の形態１におけるデジタルカメラの動作を説明する図
【図６】本発明の実施の形態１におけるデジタルカメラの動作を説明する図
【図７】本発明の実施の形態１におけるデジタルカメラの動作を説明する図
【図８】本発明の実施の形態１におけるデジタルカメラの動作を説明する図
【図９】本発明の実施の形態１におけるデジタルカメラの動作を説明する図
【図１０】本発明の実施の形態２における撮像画像表示装置の概略構成図
【図１１】本発明の実施の形態２における携帯電話端末の構成図
【図１２】本発明の実施の形態２における携帯電話端末の第１の外観図
【図１３】本発明の実施の形態２における携帯電話端末の第２の外観図
【図１４】本発明の実施の形態２における携帯電話端末の表示制御部の処理手順を示すフローチャート
【図１５】本発明の実施の形態２における携帯電話端末の保存制御部の処理手順を示すフローチャート
【図１６】本発明の実施の形態２における携帯電話端末の動作を説明する図
【図１７】本発明の実施の形態２における携帯電話端末の動作を説明する図
【図１８】本発明の実施の形態２における携帯電話端末の動作を説明する図
【図１９】本発明の実施の形態２における携帯電話端末の動作を説明する図
【図２０】本発明の実施の形態２における携帯電話端末の動作を説明する図
【図２１】本発明の実施の形態２における携帯電話端末の動作を説明する図
【図２２】本発明の実施の形態２における携帯電話端末の動作を説明する図
【図２３】本発明の実施の形態２における携帯電話端末の動作を説明する図
【図２４】本発明の実施の形態２における携帯電話端末の動作を説明する図
【図２５】本発明の実施の形態２における携帯電話端末の動作を説明する図
【手続補正３】
【補正対象書類名】図面
【補正対象項目名】全図
【補正方法】変更
【補正の内容】
【図１】
2007072583.tif 000029
【図２】
2007072583.tif 000030
【図３Ａ】
2007072583.tif 000031
【図３Ｂ】
2007072583.tif 000032
【図４】
2007072583.tif 000033
【図５】
2007072583.tif 000034
【図６】
2007072583.tif 000035
【図７】
2007072583.tif 000036
【図８】
2007072583.tif 000037
【図９】
2007072583.tif 000038
【図１０】
2007072583.tif 000039
【図１１】
2007072583.tif 000040
【図１２】
2007072583.tif 000041
【図１３】
2007072583.tif 000042
【図１４】
2007072583.tif 000043
【図１５】
2007072583.tif 000044
【図１６】
2007072583.tif 000045
【図１７】
2007072583.tif 000046
【図１８】
2007072583.tif 000047
【図１９】
2007072583.tif 000048
【図２０】
2007072583.tif 000049
【図２１】
2007072583.tif 000050
【図２２】
2007072583.tif 000051
【図２３】
2007072583.tif 000052
【図２４】
2007072583.tif 000053
【図２５】
2007072583.tif 000054
【手続補正書】
【提出日】平成21年2月2日(2009.2.2)
【手続補正１】
【補正対象書類名】特許請求の範囲
【補正対象項目名】全文
【補正方法】変更
【補正の内容】
【特許請求の範囲】
【請求項１】
筐体の互いに異なる側面に配置された複数の操作子に対する利用者の行為により画像データ表示の操作を検知する操作検知手段と、
被写体を撮像して画像データを生成する撮像手段と、
前記操作検知手段が前記操作の開始を検知してから前記操作の終了を検知するまで前記撮像手段が生成した前記画像データを前記操作子毎に対応づけられた所定の方向へ回転した状態で表示して保持し、前記操作検知手段が前記操作の終了を検知した場合、前記画像データの表示を終了する表示手段と、を具備する撮像画像表示装置。
【請求項２】
前記操作子はボタンであり、利用者の前記ボタンを押下する行為により前記操作の開始を検知し、利用者の前記押下したボタンを離反する行為により前記操作の終了を検知する請求項１記載の撮像画像表示装置。
【請求項３】
前記画像データを保存する画像保存手段と、
前記操作検知手段の検知に基づいて撮像が成されていることを周囲に通知する撮像通知手段と、をさらに具備し、
前記撮像通知手段は、前記画像保存手段が前記画像データを保存する場合と、前記画像保存手段が前記画像データを保存しない場合とで、前記通知の動作が異なる請求項１記載の撮像画像表示装置。
【請求項４】
前記画像保存手段は、前記画像データを保存するか否かを切り替える保存切替手段を具備し、
前記撮像通知手段は、前記保存切替手段が前記画像データを保存するように切り替えられている場合、前記通知を行い、前記保存切替手段が前記画像データを保存しないよう切り替えられている場合、前記通知を行わない請求項３記載の撮像画像表示装置。
【請求項５】
筐体の互いに異なる側面に配置された複数の操作子に対する利用者の行為により画像データ表示の操作を検知する第１のステップと、
被写体を撮像して画像データを生成する第２のステップと、
前記操作の開始を検知した場合、前記生成した画像データを前記操作子毎に対応づけられた所定の方向へ回転した状態で表示して保持する第３のステップと、
前記操作の終了を検知する第４のステップと、
前記操作の終了を検知した場合、前記画像データの表示を終了する第５のステップと、を有する撮像画像表示方法。
【国際調査報告】
2007072583.tif 000055
2007072583.tif 000056
2007072583.tif 000057
2007072583.tif 000058